(57)【要約】【課題】通信によりデータを転送する一対の機器間の通信距離に応じてデータ転送レートを切り替える通信方式に基づくデータ転送レートの変化に応じて、コンテンツ出力帯域を制御する。【解決手段】通信方式としてたとえばＷＵＳＢ規格を適用する場合、データ転送レートが４８０Ｍｂ／ｓのとき（Ｓ４１０）、４８０Ｍｂ／ｓ未満で２００Ｍｂ／ｓ以上のとき（Ｓ４２０）、２００Ｍｂ／ｓ未満で５３．３Ｍｂ／ｓ以上のとき（Ｓ４３０）は、各々、大容量コンテンツ（Ｓ４１２）、中容量コンテンツ（Ｓ４２２）、小容量コンテンツ（Ｓ４３２）を出力する。【選択図】図４
2010004428.tif 000002
【特許請求の範囲】
【請求項１】
第１通信装置を有する第１機器と、
第２通信装置および、前記第１機器から送信されたデータを乗員に提示する提示装置を有する第２機器と、
前記第１および第２機器間の前記データの通信を制御し、前記第１および第２機器間の距離に応じて通信速度を変更する制御手段と、
前記データの通信速度を検出する検出手段と、
前記検出した通信速度に応じて、前記第１および第２機器間でデータ通信を行うデータの種類を選択する選択手段とを備え、
前記制御手段は、前記選択された種類のデータを前記距離に応じた通信速度で通信することを特徴とする車載情報提供装置。
【請求項２】
請求項１に記載の車載情報提供装置において、
前記提示装置は表示器を含み、
前記データの種類は、受信したデータを高精細度で前記表示器に表示する第１映像データ、および受信したデータを第１映像よりも低精細度で前記表示器に表示する第２映像データを含み、
前記選択手段は、前記検出された通信速度が所定値以下の場合、前記第２映像データを選択することを特徴とする車載情報提供装置。
【請求項３】
請求項１に記載の車載情報提供装置において、
前記第１および第２通信装置は、ＷＵＳＢ規格に準拠した通信装置であることを特徴とする車載情報提供装置。
【請求項４】
請求項１に記載の車載情報提供装置において、
前記第１機器はナビゲーション装置の制御装置であることを特徴とする車載情報提供装置。
【発明の詳細な説明】
【技術分野】
【０００１】
本発明は、経路誘導画面や動画等の様々なコンテンツ表示を行うナビゲーション装置に適用することが好適な車載情報提供装置に関する。
【背景技術】
【０００２】
車載ナビゲーション装置においては、本体制御機からモニタへのコンテンツ出力を無線接続にて構成し、運転者以外の乗員による使用を可能とする車載機が知られている（たとえば、特許文献１参照）。
【特許文献１】特開２００５−１７８５４１号公報
【発明の開示】
【発明が解決しようとする課題】
【０００３】
しかし、制御機からモニタへのコンテンツ出力をサポートする無線通信方式としてＵＳＢ  Ｉｍｐｌｅｍｅｎｔｅｒｓ  Ｆｏｒｕｍ（ＵＳＢ−ＩＦ）に帰属するＷｉｒｅｌｅｓｓ  ＵＳＢ  Ｐｒｏｍｏｔｅｒ  Ｇｒｏｕｐによって仕様が策定されているＷｉｒｅｌｅｓｓ  Ｕｎｉｖｅｒｓａｌ  Ｓｅｒｉａｌ  Ｂｕｓ（以下、ＷＵＳＢと略記する）のような、レンジ（距離）に応じてデータ転送レートが定められている規格を適用すると、モニタが車内を移動するとデータ転送レートが変化する場合がある。そのため、データ転送レートが低下したにも関わらず、低下する前のレートでコンテンツ出力帯域を保持したために画面出力ができずにブラックアウトとなる問題がある。
【課題を解決するための手段】
【０００４】
請求項１の発明に係る車載情報提供装置は、第１通信装置を有する第１機器と、第２通信装置および、第１機器から送信されたデータを乗員に提示する提示装置を有する第２機器と、第１および第２機器間のデータの通信を制御し、第１および第２機器間の距離に応じて通信速度を変更する制御手段と、データの通信速度を検出する検出手段と、検出した通信速度に応じて、第1および第２機器間でデータ通信を行うデータの種類を選択する選択手段とを備え、制御手段は、選択された種類のデータを距離に応じた通信速度で通信することを特徴とする。
【発明の効果】
【０００５】
本発明によれば、データ転送レートの変化に応じてコンテンツ出力帯域を制御することができる。
【発明を実施するための最良の形態】
【０００６】
図１〜５を参照して、本発明による車載情報提供装置をナビゲーション装置（以下、車載機とする）に適用した一実施の形態を説明する。図１は、本実施の形態の車載機１０の全体構成を示す図である。
【０００７】
車載機１０は、車両１に搭載される。車載機１０は、本体である制御機１００とモニタ２００とから構成され、制御機１００は、図１においては車両１の前席側に据え付けられている。モニタ２００は、運転手以外の同乗者も使用することが可能なため、前席と後席の間を移動し得る。図１においてはモニタ部２００が後席側に移動した様子を示しており、前席側破線は移動前のモニタ部２００が位置していた場所を示している。
【０００８】
図１において、制御機１００とモニタ２００との間の両端矢印は、両者の間で無線通信が行われている様子を表している。モニタ２００は移動前に前席側破線の位置に存在したことから、後席側への移動により、制御機１００とモニタ２００との間の無線通信のレンジが大きくなったことを意味している。本実施例における当該無線通信方式としてＷＵＳＢ規格を適用するものとする。
【０００９】
図２は、車載機１０のハードウェア構成を表すシステムブロック図である。前述したように、車載機１０は制御機１００およびモニタ２００から構成される。制御機１００のＣＰＵ１１０においては、センサ類１２０およびユーザ入力装置１３０との間の信号が入出力される。センサ類１２０とは車両の現在地を検出するためのセンサ類であり、ジャイロセンサ、ＧＰＳ（Ｇｌｏｂａｌ  Ｐｏｓｉｔｉｏｎｉｎｇ  Ｓｙｓｔｅｍ）センサ、車速センサ等を含む。ユーザ入力装置１３０は、タッチパネル、パネル周辺の押ボタン式スイッチ、ジョイスティック、リモートコントローラ等のユーザインタフェースを提供する。
【００１０】
ＣＰＵ１１０は制御機１００全体を制御する演算処理装置であり、ＣＰＵ１１０およびその周辺回路は互いにバスで接続されている。周辺回路は、ワークメモリ１４０、プログラムメモリ１５０、チューナ１６０、映像や楽曲を記録したＤＶＤ等各種メディア再生装置１７０、記憶装置１８０、ＷＵＳＢホスト１９０等から成る。ワークメモリ１４０はＣＰＵ１１０の作業エリアとして制御に用いられ、プログラムメモリ１５０にはＣＰＵ１１０の制御プログラムが格納されている。
【００１１】
チューナ１６０は、ＦＭ／ＡＭ／ＴＶの各種放送を受信すると共に、道路交通情報（例えば、ＶＩＣＳ（登録商標）情報）を配信するＦＭ多重放送を受信することができる。ＶＩＣＳ情報は、プログラム処理が可能なデジタルデータとして送信され、渋滞情報、規制情報、駐車場情報、サービスエリア情報、パーキングエリア情報を含んでいる。規制情報には、車線規制情報、高速道路のランプ規制情報、インターチェンジ規制情報が含まれる。
【００１２】
記憶装置１８０は、ナビゲーション処理に使用する道路地図データやＰＯＩ（Ｐｏｉｎｔ  ｏｆ  Ｉｎｔｅｒｅｓｔ：観光地や各種施設）情報などの情報を格納する記憶装置であり、ハードディスクドライブが用いられている。なお、記憶装置１８０は、ハードディスクドライブ以外にも、道路地図データが格納されたＣＤ−ＲＯＭやＤＶＤ、その他の記録媒体、およびその読み出し装置であっても良い。
【００１３】
道路地図データは、地図に関する情報であり、地図表示用データ、経路探索用データ、誘導データなどから成る。地図表示用データは道路や道路地図の背景を表示するためのデータである。経路探索用データは、道路形状とは直接関係しない分岐情報などから成るデータであり、主に推奨経路を演算（経路探索）する際に用いられる。誘導データは、交差点名称・道路名称・方面名称・方向ガイド施設情報などを含むデータであり、演算された推奨経路に基づきユーザを経路誘導する際に用いられる。
【００１４】
ＷＵＳＢホスト１９０は、ＵＳＢホストコントローラ１９１、ＩＳＯ／ＩＥＣ標準ＵＷＢ（Ｕｌｔｒａ  Ｗｉｄｅｂａｎｄ）インタフェース１９２等から成る。ＵＳＢホストコントローラ１９１はＷＵＳＢホスト１９０がマスタとして動作するための制御を行う。ＵＷＢインタフェース１９２はデータ送受信のためのアンテナやＲＦ（Ｒａｄｉｏ  Ｆｒｅｑｕｅｎｃｙ）回路（不図示）等から成る。
【００１５】
モニタ２００のＣＰＵ２１０においては、ユーザ入力装置２３０との間の信号が入出力される。ユーザ入力装置２３０はタッチパネルやパネル周辺の押ボタン式スイッチ、ジョイスティック、リモートコントローラ等のユーザインタフェースを提供する。
【００１６】
ＣＰＵ２１０は、モニタ２００全体を制御する演算装置であり、ＣＰＵ２１０およびその周辺回路は互いにバスで接続されている。周辺回路は、ディスプレイモジュール２２０、ワークメモリ２４０、プログラムメモリ２５０、ＷＵＳＢペリフェラル２９０等から成る。ワークメモリ２４０はＣＰＵ２１０の作業エリアとして用いられ、プログラムメモリ２５０にはＣＰＵ２１０の制御プログラムが格納されている。
【００１７】
ディスプレイモジュール２２０は、グラフィックコントローラ２２１、画像メモリ２２２、表示パネル２２３等から成る。グラフィックコントローラ２２１は、制御機１００のＣＰＵ１１０によって入力され、ＣＰＵ２１０から出力される文字や図形等の画像データを画像メモリ２２２に格納し、表示パネル２２３に画面表示するための制御を行う。
【００１８】
ＷＵＳＢペリフェラル２９０は、ＵＳＢペリフェラルコントローラ２９１、ＵＷＢインタフェース２９２等から成る。ＵＳＢペリフェラルコントローラ２９１はＷＵＳＢペリフェラル２９０がスレーブとして動作するための制御を行う。ＵＷＢインタフェース２９２はデータ送受信のためのアンテナやＲＦ回路（不図示）等から成る。
【００１９】
制御機１００は、蓄積された道路地図データや取得されたＶＩＣＳ情報、再生された映像や楽曲のデータ等のコンテンツ出力データを、ＷＵＳＢ規格に基づく無線通信によってモニタ２００へ転送する。ＷＵＳＢ規格では、ホスト・ペリフェラル間のレンジに応じてデータ転送レートが変化する。したがって、制御機１００は、モニタ２００との間のデータ転送レートを監視し、その変化に応じてモニタ２００へのコンテンツ出力帯域を制御する必要がある。
【００２０】
図３のフローチャートを参照して、車載機本体の制御機１００からモニタ２００へのコンテンツ出力帯域制御動作を説明する。以下の各ステップは、制御機１００におけるＣＰＵ１１０のプログラム処理として実行される。ステップＳ３１０では、ＣＰＵ１１０は、ホスト側レジスタルックイン等を通じてＷＵＳＢデータ転送レート（以下、転送レートと略記する）の変化を検出する。ステップＳ３２０では、ＣＰＵ１１０は、転送レートの変化に追従してコンテンツ出力を自動で切り換える設定がされているかどうかを判定する。当該設定がされている場合は、自動切換のサブルーチン処理（ステップＳ４００）が実行され、その終了をもってコンテンツ出力帯域制御が終了する。当該設定がされていない場合は、マニュアル切換処理（ステップＳ５００）が実行され、その終了をもってコンテンツ出力帯域制御が終了する。
【００２１】
図４のフローチャートを参照して、図３のステップＳ４００に該当する自動切換処理を説明する。ステップＳ４１０では、ＣＰＵ１１０は、転送レートが４８０Ｍｂ／ｓと一致するか否かを判定する。一致する場合、ステップＳ４１２にて、ＣＰＵ１１０は、標準出力の対象としている大容量コンテンツを帯域４８０Ｍｂ／ｓにて出力するように設定し、自動切換処理が終了する。不一致の場合は、ステップＳ４２０にて、ＣＰＵ１１０は、転送レートが２００Ｍｂ／ｓ以上であるか否かを判定する。
【００２２】
ステップＳ４２０にて、転送レートが２００Ｍｂ／ｓ以上であると判定された場合、ステップＳ４２１にて、ＣＰＵ１１０は、中容量コンテンツ出力の旨のユーザ通知をモニタ２００の画面に表示するための画像データを出力する。また、中容量コンテンツを帯域２００Ｍｂ／ｓにて出力するように設定し（ステップＳ４２２）、自動切換処理が終了する。ステップＳ４２０にて、転送レートが２００Ｍｂ／ｓ未満であると判定された場合は、ステップＳ４３０にて、転送レートが５３．３Ｍｂ／ｓ以上であるか否かが判定される。
【００２３】
ステップＳ４３０にて、転送レートが５３．３Ｍｂ／ｓ以上であると判定された場合、ステップＳ４３１にて、ＣＰＵ１１０は、小容量コンテンツ出力の旨のユーザ通知をモニタ２００の画面に表示するための画像データを出力する。また、小容量コンテンツを帯域５３．３Ｍｂ／ｓにて出力するように設定し（ステップＳ４３２）、自動切換処理が終了する。ステップＳ４３０にて、転送レートが５３．３Ｍｂ／ｓ未満であると判定された場合、ステップＳ４４１にて、ＣＰＵ１１０は、コンテンツ出力不可の旨のユーザ通知をモニタ２００の画面に表示するための画像データを出力し、ステップＳ４４２においてコンテンツ出力不可設定をする。コンテンツ出力不可の旨のユーザ通知をモニタ２００の画面に表示するための画像データを出力する代わりに、待機状態を表す画面を表示するための画像データを出力したり、デモ画面を表示するための画像データを出力してもよい。これらをもって、自動切換処理が終了する。
【００２４】
図５のフローチャートを参照して、図３のステップＳ５００に該当するマニュアル切換処理を説明する。ステップＳ５１０では、ＣＰＵ１１０は、転送レートが４８０Ｍｂ／ｓと一致するか否かを判定する。一致する場合、ステップＳ５１５にて、ＣＰＵ１１０は、標準出力の対象としている大容量コンテンツを帯域４８０Ｍｂ／ｓにて出力するように設定し、マニュアル切換処理が終了する。不一致の場合は、ステップＳ５２１にて、ＣＰＵ１１０は、コンテンツの標準出力不可の旨のユーザ通知をモニタ２００の画面に表示するための画像データを出力し、ステップＳ５２２にて、コンテンツ出力を自動で切り換えるか否かについてユーザ選択画面をモニタ２００に表示するための画像データを出力する。コンテンツ出力自動切り換えの場合、ステップＳ５２３にて、ＣＰＵ１１０は、転送レートが２００Ｍｂ／ｓ以上であるか否かを判定する。
【００２５】
ステップＳ５２３にて、転送レートが２００Ｍｂ／ｓ以上であると判定された場合、ステップＳ５２４にて、ＣＰＵ１１０は、中容量コンテンツ出力の旨のユーザ通知をモニタ２００の画面に表示するための画像データを出力する。また、中容量コンテンツを帯域２００Ｍｂ／ｓにて出力するように設定し（ステップＳ５２５）、マニュアル切換処理が終了する。ステップＳ５２３にて、転送レートが２００Ｍｂ／ｓ未満であると判定された場合は、ステップＳ５３３にて、転送レートが５３．３Ｍｂ／ｓ以上であるか否かが判定される。
【００２６】
ステップＳ５３３にて転送レートが５３．３Ｍｂ／ｓ以上であると判定された場合、ステップＳ５３４にて、ＣＰＵ１１０は、小容量コンテンツ出力の旨のユーザ通知をモニタ２００の画面に表示するための画像データを出力する。また、小容量コンテンツを帯域５３．３Ｍｂ／ｓにて出力するように設定し（ステップＳ５３５）、マニュアル切換処理が終了する。ステップＳ５３３にて、転送レートが５３．３Ｍｂ／ｓ未満であると判定された場合は、ステップＳ５３４にて、ＣＰＵ１１０は、コンテンツ出力不可の旨のユーザ通知をモニタ２００の画面に表示するための画像データを出力し、ステップＳ５３５においてコンテンツ出力不可設定をする。コンテンツ出力不可の旨のユーザ通知をモニタ２００の画面に表示するための画像データを出力する代わりに、待機状態を表す画面を表示するための画像データを出力したり、デモ画面を表示するための画像データを出力してもよい。これらをもって、マニュアル切換処理が終了する。
【００２７】
なお、上述したように、本実施の形態における制御機１００とモニタ２００との間の無線通信方式として、ＷＵＳＢ規格を適用した。ＷＵＳＢ規格においては、レンジに応じてデータ転送レートが定められており、ＷＵＳＢ規格Ｒｅｖｉｓｉｏｎ１．０によると、そのデータ転送レートは、最大値４８０Ｍｂ／ｓから最小値５３．３Ｍｂ／ｓまで８段階で規定されている。本実施の形態においては、最大のデータ転送レート４８０Ｍｂ／ｓでの出力を標準出力とし、当該標準出力設定での出力対象としているコンテンツを大容量コンテンツとしている。また、最小のデータ転送レート５３．３Ｍｂ／ｓでの出力対象としているコンテンツは、データ転送時間の長大化防止のために制限された容量を有しており、これを小容量コンテンツとしている。さらに、中間のデータ転送レートにあたる２００Ｍｂ／ｓでの出力対象としているコンテンツを中容量コンテンツとしている。
【００２８】
以上説明した実施の形態のナビゲーション装置は次のような作用効果を奏する。
（１）第１および第２機器である制御機１００およびモニタ２００と間のデータ転送レートを検出し、検出したレートに応じて、転送するデータの種類を選択するようにした。たとえば、データ転送レートが大のときは大容量コンテンツを選択し、データ転送レートが中のときは中容量コンテンツを選択し、データ転送レートが小のときは小容量コンテンツを選択するようにした。そのため、乗員に適切に情報が提示される。
【００２９】
以上説明したナビゲーション装置を次のように変形することもできる。
（１）通信方式としてＷＵＳＢ規格を適用すると説明したが、通信方式は問わない。したがって、通信によりデータを転送する一対の機器間の通信距離に応じてデータ転送レートを切り替える種々の通信方式に本発明を適用できる。
（２）大中小３段階のデータ転送レートに応じて転送するデータの種類として、大容量コンテンツ、中容量コンテンツ、小容量コンテンツを例示したが、データ転送レートの大小２段階でデータの種類を変更するようにしてもよい。モニタ２００にハイビジョン方式による高精細な映像を表示する場合、データ転送レートが低下すると映像データの転送に時間がかかり、スムーズな表示ができなくなるおそれがある。たとえば、ブラックアウトする。この場合、ハイビジョン方式によらずに低精細な映像を表示する映像データに切り換えることにより、表示される映像が途切れないため、乗員は違和感なく鑑賞することができる。
（３）以上では、車載情報提供装置を代表してナビゲーション装置（車載機１０）の制御機１００とモニタ２００との間でデータ転送が実行される場合を一例として説明した。しかし、通信によりデータを転送する一対の機器であれば、ナビゲーション装置に限定されない。たとえば、ＡＶ装置の制御機とモニタとの間でデータ転送が実行されるシステムにも本発明を適用できる。
【００３０】
上述した各実施の形態および変形例は、それぞれ組み合わせてもよい。
【００３１】
上述の実施の形態およびその変形例において、たとえば、制御手段、および第１通信装置はＷＵＳＢホスト１９０に、第２通信装置はＷＵＳＢペリフェラル２９０にそれぞれ対応する。検出手段、および選択手段は、ＣＰＵ１１０と、プログラムメモリ１５０で実行されるプログラムとによって実現される。なお、以上の説明はあくまで一例であり、発明を解釈する際、上記の実施形態の記載事項と特許請求の範囲の記載事項の対応関係になんら限定も拘束もされない。
【図面の簡単な説明】
【００３２】
【図１】本実施の形態の車載機１０の全体構成を示す図
【図２】本実施の形態の車載機１０のハードウェア構成を表すシステムブロック図
【図３】本実施の形態の制御機１００からモニタ２００へのコンテンツ出力帯域制御動作を説明する図
【図４】本実施の形態において、図３のステップＳ４００に該当する自動切換処理を説明する図
【図５】本実施の形態において、図３のステップＳ５００に該当するマニュアル切換処理を説明する図
【符号の説明】
【００３３】
１  車両
１０  車載機
１００  制御機
１１０、２１０  ＣＰＵ
１２０  センサ類
１３０、２３０  ユーザ入力装置
１４０、２４０  ワークメモリ
１５０、２５０  プログラムメモリ
１６０  チューナ
１７０  メディア再生装置
１８０  記憶装置
１９０  ＷＵＳＢホスト
１９１  ＵＳＢホストコントローラ
１９２、２９２  ＵＷＢインタフェース
２２０  ディスプレイモジュール
２２１  グラフィックコントローラ
２２２  画像メモリ
２２３  表示パネル
２９０  ＷＵＳＢペリフェラル
２９１  ＵＳＢペリフェラルコントローラ
【図１】
2010004428.tif 000003
【図２】
2010004428.tif 000004
【図３】
2010004428.tif 000005
【図４】
2010004428.tif 000006
【図５】
2010004428.tif 000007